(57)【要約】【課題】カメラフラッシュを有するモバイル装置に取り付け可能な画像投影装置に使用するスライドフレームを提供すること。【解決手段】カメラフラッシュを有するモバイル装置に取り付け可能な画像投影装置に使用するスライドフレームであって、少なくとも１つのスライドトランスペアレンシと、前記少なくとも１つのスライドトランスペアレンシに関連する符号化情報であって、オーディオ出力およびビジュアル出力からなる出力の群から選択された少なくとも1つの形態の出力を行うように前記モバイル装置に指示するために、前記スライドフレームが前記画像投影装置に取り付けられている時に、前記モバイル装置上のアプリケーションで読み取り可能である、符号化情報と、を備えるスライドフレーム。【選択図】図２
2019053316.tif 000002
【特許請求の範囲】
【請求項１】
カメラフラッシュを有するモバイル装置に取り付け可能な画像投影装置に使用するスライドフレームであって、
少なくとも１つのスライドトランスペアレンシと、
前記少なくとも１つのスライドトランスペアレンシに関連する符号化情報であって、オーディオ出力およびビジュアル出力からなる出力の群から選択された少なくとも1つの形態の出力を行うように前記モバイル装置に指示するために、前記スライドフレームが前記画像投影装置に取り付けられている時に、前記モバイル装置上のアプリケーションで読み取り可能である、符号化情報と、
を備えるスライドフレーム。
【請求項２】
前記少なくとも１つのスライドトランスペアレンシに隣接する少なくとも１つの符号化ブロックであって、前記符号化情報を有する符号化ブロック、
を備える請求項１に記載のスライドフレーム。
【請求項３】
前記少なくとも１つの符号化ブロックは、バーコード、カラー、及び近距離通信タグのいずれか１つである、
請求項２に記載のスライドフレーム。
【請求項４】
前記符号化情報は、前記少なくとも１つのスライドトランスペアレンシの画像において符号化されている、
請求項１に記載のスライドフレーム。
【請求項５】
前記符号化情報は、バーコードとして符号化されている、
請求項４に記載のスライドフレーム。
【発明の詳細な説明】
【技術分野】
【０００１】
本開示は、概して画像投影装置に関する。より詳しく記すと、本開示は、装置の外部にある光源を照射に使用する画像投影装置に関する。
【背景技術】
【０００２】
画像を拡大するレンズとの組み合わせでスライドトランスペアレンシ又はフィルムを画面に照射するのに電球を利用する画像投影装置は、よく知られている。３５ｍｍスライドを見る為のスライドプロジェクタは、家庭での娯楽及び教育的な用途で１９５０年代に広く使用されるようになった。これらのスライドプロジェクタは、白熱電球又は他の光源と、光をスライドへ向ける集光レンズ又は反射体と、スライドホルダと、集束レンズとを含んでいた。ビデオプロジェクタを使用して投影スクリーンに映されるか大型ビデオモニタに表示されるさらに便利なデジタルメディアの為に、スライドプロジェクタは使用されなくなった。
【０００３】
フラッシュライトプロジェクタは、スライドトランスペアレンシを照射する光源としてフラッシュライトを使用するノベルティ又は玩具である。これらの装置は一般的に、フラッシュライトに装着する機構と、スライドを定位置に取り付ける機構と、スライド画像を集束及び拡大する光学素子とを含む。例は、特許文献１と特許文献２と特許文献３とを含む。
【０００４】
スマートフォンのようなモバイル装置と、デジタルカメラと、タブレットコンピューティング装置も、画像プロジェクタを装備しうる。このタイプの技術は一般的に、例えばディスプレイを照射する発光ダイオード（ＬＥＤ）のような光源を備える液晶オンシリコンディスプレイを使用する。モバイル装置への画像プロジェクタの追加は、モバイル装置の製造コストを大幅に上昇させる。例えば、特許文献４は、モバイル装置に一体化される透過型液晶パネル及びＬＥＤ光源の使用を開示している。ＬＥＤ光源は、モバイル装置に着脱可能に装着されるかこれと一体的である透過型液晶パネルと外部投影レンズとを照射して、画像を拡大するとともに透過型液晶パネルからスクリーンへ投影する。
【０００５】
特許文献５は、スマートフォンに結合されてスマートフォンのＬＥＤからの光路に投影部材を配置できる娯楽用付属装置を開示している。娯楽用装置は、回転ダイヤルに一体化された異なるカラー又は効果の多数の投影部材を含んでおり、多数の異なるタイプの照明投影及び効果をユーザが作り出すことができる。娯楽用装置はまた、音楽のような音声に反応して照明効果を変更できる。投影部材は刻印されるかグラフィックデザインが印刷されうる。グラフィックと投影部材との一体化とＬＥＤ光源の調整不足の為、この設計では写真品質画像の投影が可能ではない。
【先行技術文献】
【特許文献】
【０００６】
【特許文献１】米国特許第２，４４５，６５１号
【特許文献２】米国特許第２，４７８，３３６号
【特許文献３】米国特許第５，３２１，４４９号
【特許文献４】米国特許第７，８７４，６８３号
【特許文献５】米国特許出願第２０１５／０３２３１６０号
【発明の概要】
【課題を解決するための手段】
【０００７】
第一の態様によれば、カメラフラッシュを有するモバイル装置と関連して使用されうる画像投影装置が提供される。画像投影装置は、アパーチャを画定する本体であって、モバイル装置に装着してアパーチャをカメラフラッシュと整合させる装着機構を有する本体と、本体内のスライドフレーム受容スロットであって、アパーチャに対して横向きであるスライドフレーム受容スロットと、アパーチャと整合される拡大レンズであって、本体の前端部に配置される拡大レンズとを包含する。スライドフレームに収容されるスライドトランスペアレンシはスライドフレーム受容スロットに配置され、カメラフラッシュはスライドトランスペアレンシを照射し、拡大レンズは、照射されたスライドトランスペアレンシを拡大して投影面に投影する。画像投影装置は、拡大レンズを収容してアパーチャに対する拡大レンズの軸方向の並進を可能にする焦点調節機構も含みうる。焦点調節機構は、伸縮機構又はネジ式機構を含みうる。
【０００８】
画像投影装置はさらにモータを含み、モバイル装置に電気結合されて指示を得ることができる。モータは焦点調節機構に結合され、カメラにより検出される投影画像に基づいて、モバイル装置がモータに指示を与えて焦点を調節できる。代替的に、又は追加モータを使用して、モータは歯車機構を使用してスライドフレームに結合され、モバイル装置からの指示を受けてスライドフレームを前進させることができる。
【０００９】
画像投影装置は、例えばナノ吸着材料のような着脱可能な接着剤を使用してモバイル装置に装着されうる。装着機構は、クランプ又はモバイルフォン保護ケースのようなモバイル装置ケースでもよい。
【００１０】
画像投影装置のスライドフレーム受容スロットは、矩形及び円形のスライドフレームを含むいかなる形状のスライドフレームをも受け入れるように構成されうる。スライドフレーム受容スロットは、スライドフレームの外面の切欠き又はくぼみと相互に作用してスライドフレームとアパーチャとの整合を補助する為の可撓性戻り止めを有しうる。
【００１１】
画像投影装置は、モバイル装置のカメラと整合されて、モバイル装置のカメラがスライドフレーム上の符号化ブロックを捕捉することを可能にするカメラ開口部も含みうる。本体は、アパーチャに結合されて、カメラフラッシュからの光をカメラ開口部に進入させる光通路も含みうる。
【００１２】
別の態様によれば、一つ以上のスライドトランスペアレンシと、対応のスライドトランスペアレンシと関連する符号化情報とを包含するスライドフレームが提供される。符号化情報は、スライドトランスペアレンシに隣接する符号化ブロックにある。符号化ブロックは、バーコード、カラー、及び近距離無線通信タグを使用して情報を符号化する。スライド画像にバーコードを埋め込むことなどによっても、スライドトランスペアレンシの画像に符号化情報が符号化されうる。
【００１３】
第三の態様によれば、画像投影装置とモバイル装置との操作方法が提供される。この方法は、スライド解読器により検出される符号化情報の変更を識別することと、符号化情報の変更を事象と関連付けることと、事象を起動することとを含む。事象は、モバイル装置のビデオディスプレイの変更と、モバイル装置のスピーカからの音声再生と、カメラフラッシュの操作のうち一つ以上でありうる。スライド解読器は、例えばモバイル装置のカメラ又は近距離通信センサでありうる。
【図面の簡単な説明】
【００１４】
ここに記載される様々な実施形態をより理解する為と、これらがどのように実行されるかをより明白に示す為、少なくとも一つの例示的実施形態を示す添付図面を例としてのみ参照する。
【図１】カメラアパーチャとカメラフラッシュとを図示するモバイル装置の背面図である。
【図２】図１のモバイル装置に装着される画像投影装置の背面図である。
【図２Ａ】Ａ−Ａ線における図２の画像投影装置の断面図である。
【図３Ａ】画像投影装置の実施形態の正面分解斜視図である。
【図３Ｂ】図３Ａの画像投影装置の背面分解斜視図である。
【図４】隣接の符号化ブロックにスライド符号化情報を含む円形スライドフレームの正面図である。
【図５】スライドトランスペアレンシに埋め込まれるスライド符号化情報を含む矩形スライドフレームの正面図である。
【図６】隣接の符号化ブロックにスライド符号化情報を含む矩形スライドフレームの正面図である。
【図７】後向きカメラと関連の後部カメラフラッシュとを有するモバイル装置のブロック図である。
【図８】照射スライドの変更に基づいてモバイル装置の事象を起動させる方法のフローチャート図である。
【発明を実施するための形態】
【００１５】
図示の簡略性及び明瞭性の為、適切であると考えられる際には、ここに記載される例示的実施形態について完全な理解を与える為多くの具体的な詳細が提示されることが認識されるだろう。しかしながら、ここに記載される実施形態はこれらの具体的詳細を伴わずに実行されてもよいことが当業者には理解されるだろう。他の事例では、ここに記載される実施形態を不明瞭にしないように、周知の方法と手順と構成要素とは詳しく記載されていない。さらに、この記載は、ここに記載される実施形態の範囲をいかなる形でも限定するものと考えられてはならず、むしろ可能な実行方法の幾つかを単に記載しているものとして機能している。
【００１６】
さて図１を参照すると、示されているのは、ここに記載される画像投影装置の実施形態とともに使用されうるカメラフラッシュ１０２とカメラアパーチャ１０４とを図示する一般的なモバイル装置１００の背面図である。一般的に、モバイル装置１００は、後面１０６と反対のモバイル装置１００の前面（不図示）にビデオディスプレイを含む。画像投影装置の幾つかの実施形態は、モバイル装置１００の前向き面のカメラフラッシュとともに機能するように構成されてもよい。モバイル装置１００は、カメラフラッシュ１０２を含むハンドヘルドコンピューティング装置を含み、スマートフォン、タブレットコンピュータ、デジタルカメラ、また潜在的にラップトップを含みうる。
【００１７】
カメラフラッシュ１０２は一般的に発光ダイオードフラッシュであって、ソフトウェアとハードウェアとの組み合わせを通してモバイル装置１００により制御されうる。カメラアパーチャ１０４は一般的に、光学素子と、デジタル画像を捕捉するＣＭＯＳベースの画像センサとを含む。カメラは、モバイル装置１００で機能するソフトウェア及びハードウェアの組み合わせを通して同様に制御されうる。
【００１８】
画像投影装置の実施形態は、カメラフラッシュ１０２を使用するモバイル装置１００とともに機能するように構成されうる。カメラフラッシュ１０２及びカメラアパーチャ１０４の配向は、モバイル装置の製造者により変化しうる。例えば、幾つかのモバイル装置は、カメラフラッシュ１０２とカメラアパーチャ１０４とを後面の中央に垂直又は上下配向で配向する。ここに記載される画像投影装置の幾つかの実施形態は、モバイル装置の寸法とセンサの配向とに基づいて具体的な装置に装着されるように設計されうる。他の実施形態は、モバイル装置１００の特定寸法、あるいはカメラフラッシュ１０２又はカメラアパーチャ１０４の配向に左右されない他の装着機構を使用できる。幾つかの実施形態では、ここに記載される画像投影装置はカメラアパーチャ１０４を遮蔽すべきではない。
【００１９】
さて、図２及び２Ａを参照すると、示されているのは、図１のモバイル装置１００に装着された画像投影装置２００であり、図２ＡはＡ−Ａ線における画像投影装置２００の断面図を提供する。画像投影装置２００の本体２０２はモバイル装置１００に装着され、カメラフラッシュ１０２と整合されるアパーチャ２１０を有する。スライドトランスペアレンシ４０２はアパーチャ２１０と整合され、カメラフラッシュ１０２により照射される。拡大レンズ２４０は、照射されたスライドトランスペアレンシ４０２を、壁、天井、又は投影スクリーンのような投影面へと拡大する。
【００２０】
画像投影装置２００の本体２０２は好ましくは、本体２０２をモバイル装置１００に装着する装着機構２２０を含む。装着機構２２０は、モバイル装置１００の厚さに対応する弾性材料で製作されうる、図２Ａに示されているような機械的クランプを含みうる。幾つかの実施形態では、モバイルフォンの縁部及び／又は後面を囲繞するケースのように、装着機構として機能する従来のモバイルフォン保護ケースとして、投影装置２００が具体化されうる。幾つかの実施形態において、装着機構２２０は、本体２０２とは別のバタフライクリップを包含しうる。バタフライクリップはバネ付勢され、モバイル装置１００と嵌合して画像投影装置２００の滑動又は移動を制限する軟質ゴム又は類似の高摩擦材料のようなグリップ材料をクリップの表面に含みうる。
【００２１】
好ましくは、装着機構２２０は、本体２０２に付着されてモバイル装置１００の後面１０６における画像投影装置２００の設置及び取り外しを可能にする着脱可能な接着剤を包含する。着脱可能な接着剤は、本体２０２の係合面に装着されるナノ吸着材料を含みうる。ナノ吸着材料の表面は、接着剤とモバイル装置１００の後面１０６との間に多くの部分真空を作り出すことにより機能する数千の顕微鏡的クレーターを有する。ナノ吸着材料は感圧性ではなく、反復的に再接合し、モバイル装置に残留物を残さない。画像投影装置２００をモバイル装置１００から取り外すには、引き離すかねじって接合を断つだけでよい。ウェットティッシュでナノ吸着接着材料を拭くと、クレーターからゴミを取り除いて吸着性を復活させる。
【００２２】
本体２０２にはさらに、幾つかのスライドトランスペアレンシを収容する（図４〜６に示されているような）スライドフレームを受容する形状を持つスライドフレーム受容スロット２３０が設けられている。スライドフレームは、円形、矩形、又は他の形状であり、スライドフレーム受容スロット２３０は、スライドフレームを収納する対応の形状を有する。アパーチャ２１０内にスライドフレームトランスペアレンシを配置する為、スライドフレーム受容スロット２３０はアパーチャ２１０に対して横向きである。スライドフレームはスライドフレーム受容スロット２３０に配置されて、スライドトランスペアレンシの一つをカメラフラッシュ１０２及びアパーチャ２１０と整合させる。カメラフラッシュ１０２は、モバイル装置１００の制御下で、アパーチャ２１０内のスライドトランスペアレンシ４０２を照射する。スライドフレーム受容スロット２３０は、図２Ａに示されているように本体２０２内に、又は本体２０２の後向き面の通路に形成されうる。本体２０２とカメラフラッシュ１０２と拡大レンズ２４０とに対するスライドフレーム受容スロット２３０の位置は、画像投影品質を最適化するように選択されうる。
【００２３】
拡大レンズ２４０はアパーチャ２１０と整合され、画像投影装置２００の本体２０２の前部に配置される。拡大レンズ２４０は、照射されたスライドトランスペアレンシと投影面との間に配置される。拡大レンズ２４０は、例えば壁や天井のような投影面への投影の為に、カメラフラッシュ１０２により照射されるスライドトランスペアレンシを拡大する。例示目的で単純な両凸レンズが示されているが、当業者であれば、スライドトランスペアレンシの拡大及び投影を行うのに適切なレンズ設計を用意するだろう。これは、２枚以上のレンズを必要とする複合レンズ設計を含みうる。
【００２４】
画像投影装置２００の幾つかの実施形態はさらに、拡大レンズ２４０を格納する焦点調節機構２６０を含みうる。焦点調節機構２６０は、投影画像の拡大又は焦点を変化させる為、アパーチャ２１０に対する拡大レンズ２４０の軸方向の並進を可能にして、照射されたスライドトランスペアレンシ４０２と拡大レンズ２４０との間の距離を変更することができる。焦点調節機構２６０は、拡大レンズ２４０の移動を可能にする伸縮構成又はネジ式構成を含みうる。２枚以上のレンズを利用する複合レンズ設計では、１枚のレンズのみが焦点調節機構２６０により移動可能である。
【００２５】
画像投影装置２００の好適な実施形態は、カメラフラッシュ１０２とスライドトランスペアレンシとの間でアパーチャ２１０と整合されるかアパーチャ内に配置されるフラッシュ調節器２５０も含みうる。カメラフラッシュ１０２からの光路がフラッシュ調節器２５０を通過してからスライドトランスペアレンシを通って、最終的には拡大レンズ２４０により拡大されるように、スライドフレーム受容スロット２３０の、拡大レンズ２４０と反対の側にフラッシュ調節器２５０が配置されている。フラッシュ調節器２５０は、スライドトランスペアレンシ４０２の適正で完全な照射の提供を補助する。フラッシュ調節器２５０は、例えば、光拡散材料、又は視準レンズ（例えば平凸レンズ）のような光学コンデンサ、あるいはその組み合わせを含みうる。例えば、カメラフラッシュ１０２からの入来ＬＥＤ光線がスライドトランスペアレンシに衝突する際に平行光線に形成されて投影画像の明瞭性が向上するように、平凸レンズが使用されうる。写真品質のスライドを投影するのに使用される実施形態では、投影画像に適度な明瞭性を得るのにフラッシュ調節器が使用されるべきである。
【００２６】
アパーチャ２１０は多様な形状を有しうる。アパーチャ２１０は、例えば円形の拡大レンズ２４０を収納するように円形でありうる。スライドトランスペアレンシ４０２がアパーチャ２１０を完全に塞ぐように、円形、矩形、又は他のいかなる形状でもよいスライドフレームでのスライドトランンスペアレンシの形状に類似した形状をアパーチャ２１０が持ってもよい。アパーチャ２１０は、円錐形状であるか、同様に、カメラフラッシュ１０２に隣接する本体２０２の後面から本体２０２の前面まで増加するサイズを有していてもよい。
【００２７】
画像投影装置２００の幾つかの実施形態は、さらなる機能性を提供する為電力供給されてもよい。例えばアップル（Apple）社により製造される装置の為のＵＳＢ充電ポート又はライトニングコネクタなどを通したモバイル装置１００との結合により、電力が得られる。画像投影装置２００の他の実施形態はさらに、電力を提供するバッテリを包含しうる。幾つかの実施形態において、本体２０２は、充電ポートを通してモバイル装置１００に補助電力を提供するバッテリを含みうる。例えば、モーフィー社（mophie inc.）製のものと類似した補助バッテリを含むモバイルフォンケースで画像投影装置２００が具体化されうる。補助バッテリは、カメラフラッシュ１０２の継続使用による電力需要の増加を補助するのにも有益である。
【００２８】
画像投影装置２００は、通信インタフェースによりモバイル装置１００に結合されてもよい。例えば、モバイル装置１００は、スライド前進又は焦点調節に関する指示を提供しうる。これは、電源（例えばマイクロＵＳＢかライトニング）、又は、画像投影装置２００が電源内蔵式である場合には別のインタフェース（例えばモバイル装置１００のヘッドフォン／マイクロフォンジャック、ブルートゥース（登録商標）（Bluetooth）（登録商標）かＮＦＣなどのワイヤレス通信）と同じインタフェースを経由したものである。
【００２９】
幾つかの実施形態において、画像投影装置２００は、スライドフレームを識別するのに使用されうるスライド解読器を含み、さらにアパーチャ２１０内にある特定のスライドトランスペアレンシを識別しうる。スライド解読器は、電力を必要とする電子機器を含みうる。スライド解読器は、例えばスライドフレームに埋め込まれる一つ以上の無線タグを読み取ることのできる近距離無線通信（ＮＦＣ）送受信器を含みうる。スライドトランスペアレンシ４００及び／又はスライドフレーム４０２を識別する解読情報は、通信インタフェースを経由してモバイル装置１００に通信されうる。スライドフレーム及びスライドトランスペアレンシに情報を符号化する他の方法と、スライド解読器実施形態で解読する当該の方法とは、図４〜６に関して記される。
【００３０】
画像投影装置２００の他の実施形態において、単独で、又は画像投影装置により提供されるスライド解読機能とともに、モバイル装置１００によりスライド解読器が提供されうる。例えば、モバイル装置１００のＮＦＣ送受信器は特定のスライドフレームを識別することができ、画像投影装置２００のスライド解読器は特定のスライドトランスペアレンシを識別できる。図３〜６は、モバイル装置１００のカメラがスライド解読器として作用できる例を提供する。
【００３１】
画像投影装置２００の電動式実施形態は、（例えば歯車構成を使用して）スライドフレームに結合されるスライド前進モータを含みうる。スライド前進モータは、スライドフレーム受容スロット２３０内でスライドフレームを移動させて次のスライドトランスペアレンシを配置する。画像投影装置２００は、前方及び後方ボタンのようにスライド前進モータを制御するボタンを含みうる。他の実施形態において、モバイル装置１００は、どのスライドトランスペアレンシがアパーチャ２１０内にあるかを制御する指示をスライド前進モータに提供できる。
【００３２】
画像投影装置２００の電動式実施形態は、焦点調節機構２６０に結合されて拡大レンズ２４０の位置を調節できる焦点調節モータも含みうる。やはり、これは画像投影装置２００のボタンにより、又はモバイル装置１００により制御されうる。モバイル装置１００のカメラは投影画像を捕捉することができ、モバイル装置１００は、例えば縁部検出アルゴリズムを使用することにより、捕捉された画像の焦点が合っているかどうかを判断できる。モバイル装置１００は、この情報に基づいて焦点調節モータに指示を提供できる。モバイル装置１００は、カメラを使用して投影画像を定期的に監視して投影画像の焦点を維持する。モバイル装置１００はまた、搭載の運動センサ／加速度計からの情報に依拠して、焦点調節モータによる焦点調節を再評価するかどうかを検討する。
【００３３】
画像投影装置２００の幾つかの実施形態は、投影画像への手の動きの作用を排除又は軽減する電子的安定化処理を含みうる。電子的安定化処理の実施形態は、運動センサ（例えば加速度計）を収容するハンドルを含み、ハンドルは一つ以上のモータを介して画像投影装置２００の本体２０２に結合されて、３度の移動自由度が与えられる。運動センサにより移動が検出されると、ハンドルはモータを制御してこの移動を相殺し、本体２０２を安定位置に維持する。
【００３４】
さて図３Ａ及び３Ｂを参照すると、示されているのは、図４に示されているような円形スライドフレームを受容する為の画像投影装置３００の正面および背面分解斜視図である。画像投影装置３００の本体３０２は、スライドフレーム受容スロット３３０と相互に作用するアパーチャ３１０を画定する。装着機構３２０は、画像投影装置３００の本体３０２の後面に装着されるナノ吸着材料である。
【００３５】
スライドフレーム受容スロット３３０は、回転スライドフレーム４００の中心と嵌合する為のスライドフレーム整合機構３３２を収容する。円形スライドフレーム４００の中心は、スライドフレーム整合機構３３２と係合して円形スライドフレーム４００を定位置に配置するとともに回転を可能にする穴、くぼみ、突起、軸を有する。図３Ａは、円形スライドフレーム４００の中心の穴又はくぼみと嵌合できる可撓性突起３３２を図示している。
【００３６】
分解図は、拡大レンズ３４０の移動を可能にする焦点調節機構を有する実施形態を図示している。レンズスライド３６２は、アパーチャ３１０内で前方及び後方に移動できる。レンズ装着部３６４はレンズスライド３６２にクリップ留めされて、レンズ装着部３６４とレンズスライド３６２との間のプレス嵌めで拡大レンズ３４０を保持する。
【００３７】
図３Ａ及び３Ｂの実施形態は、モバイル装置１００のカメラに依拠して幾つかのスライド解読機能を提供する。本体３０２はモバイル装置１００のカメラモジュールを被覆するように設計され、カメラ開口部３８０と光通路３８２とを本体３０２の後面に含む。スライドフレーム受容スロット３３０はカメラ開口部３８０に開口して、スライドフレーム４００のスライド解読ブロック４１０（図４参照）がモバイル装置１００のカメラにより捕捉されることを可能にする。カメラフラッシュ１０２からの光は光通路３８２を介してカメラ開口部３８０に伝達され、現在照射されているスライドトランスペアレンシ４０２と関連するスライド符号化ブロック４１０をモバイル装置１００のカメラが捕捉することを可能にする。光通路３８２は自由空間又は何らかの光透過性材料（例えば透明なプラスチック又はガラス）である。
【００３８】
さて図４を参照すると、示されているのは、図３Ａ及び３Ｂに図示されている画像投影装置３００とともに機能するように設計されている円形スライドフレーム４００の正面図である。スライドフレーム４００は、対応のスライドトランスペアレンシ４０２に隣接する符号化ブロック４１０にスライド符号化情報を含む。符号化ブロック４１０の符号化情報は、モバイル装置１００に投影されているスライドトランスペアレンシ４０２を識別して、モバイル装置１００が投影画像と連動する（書籍やムービークリップのように、例えば歌、音声ダイアログ、音響効果等の音声や映像などの関連メディアをモバイル装置ビデオディスプレイで流す）ことを可能にする。
【００３９】
スライドフレーム４００は、スライドフレーム受容スロット３３０内の対応の構造と係合する切欠き又はくぼみ４０４を含みうる。これはユーザに機械的フィードバックを提供して、スライドトランスペアレンシ４０２が適正な整合状態にあることを示す。例えば、スライドフレーム受容スロット３３０は、スライドフレーム４０４の切欠き／くぼみ４０４と係合してスライドフレームをアパーチャ３１０内に整合させる可撓性戻り止めをスロット内に有する。可撓性戻り止めは可撓性プラスチックであるかバネに基づく。他の実施形態は剛性の戻り止めを有し、スライドフレームは可撓性材料から成り、アパーチャ３１０内でのスライドトランスペアレンシ４０２の移動及び整合を可能にする。幾つかの実施形態において、戻り止めが切欠き／くぼみ４０４と嵌合すると、可聴フィードバック（例えばクリック音）が得られる。スライドフレーム４００の幾つかの実施形態は、適度な傾斜を一方の縁部に、スライドフレーム受容スロット内のつめ又は戻り止めと嵌合して（例えばラチェット／つめ機構の使用により）スライドフレーム４００の移動を単一方向に制限するはるかに急な傾斜を他方の縁部に備える切欠きを含みうる。
【００４０】
符号化ブロック４１０に符号化される符号化情報は、現在投影されているスライドトランスペアレンシ４０２を識別できる。符号化ブロック４１０に情報を符号化する多くの異なる符号化方法が使用されうる。例えば、図４において、符号化ブロック４１０は、画像投影装置３００の実施形態に使用される時にモバイル装置１００のカメラにより検出されうるカラートランスペアレンシである。カメラフラッシュ１０２からの光が光通路３８２を通ってカラートランスペアレンシ符号化ブロック４１０を照射し、カメラを通してモバイル装置１００によりカラーが判断されうる。スライドフレーム４００の各スライドトランスペアレンシ４０２は、それと関連する独自のカラーを有しうる。
【００４１】
さて図５を参照すると、示されているのは、各スライドトランスペアレンシ５０２自体にある（つまり図４のようにスライドトランスペアレンシ４０２とは別の符号化ブロックセパレート４１０にあるのではない）符号化ブロックに符号化情報を含む矩形スライドフレーム５００の実施形態である。図５は、幾つかの異なる符号化方法を図示しているが、好ましくは単一タイプの符号化のみがスライドフレームに使用される。最初の二つのスライドトランスペアレンシの例では、スライドトランスペアレンシ５０２が投影面に投影される時にモバイル装置１００のカメラにより検出されうる、スライドトランスペアレンシ５０２に埋め込まれたバーコードを使用して、符号化ブロックが情報を符号化する。符号化ブロックは、（リニアバーコード、ＱＲコード（登録商標）のような２Ｄバーコード、カラーを含むバーコードを含む）いかなるタイプのバーコードをも含みうる。例えば、リニアバーコード５１２とＱＲコード５１４とが図５のスライドトランスペアレンシ５０２に埋め込まれた状態で示されている。スライドフレーム５００は、スライドフレーム受容スロットの戻り止め又はピンと嵌合して画像投影装置のアパーチャ内でのスライドフレーム５００の整合を補助できる、くぼみ５０４を含む。
【００４２】
幾つかの実施形態において、符号化情報はスライドトランスペアレンシ画像そのものを含みうる為、モバイル装置１００は画像処理を使用して、幾つかの可能なスライドトランスペアレンシから投影画像を識別できる。これらの実施形態において、符号化ブロックは、スライドトランスペアレンシ５０２自体であると考えられうる。例えば、モバイル装置１００は、カメラにより取得された投影画像を処理して投影画像のシグネチャを入手してから、モバイル装置１００又はネットワーク接続サーバのいずれかで、このシグネチャをデータベースからのシグネチャと比較し、特定のスライドトランスペアレンシ、あるいはモバイル装置１００により起動されるべき事象を識別する。例として挙げられた太陽の絵５１５は、モバイル装置１００への特定のスライドトランスペアレンシを識別するのを補助しうる一意シグネチャとなる。例えば、投影面上の投影スライドを識別するのに縁部検出アルゴリズムが使用され、識別された投影スライドにさらなる縁部検出アルゴリズムが使用されて、周知のスライドトランスペアレンシの縁部マトリクスと比較されうる縁部検出マトリクスが得られる。
【００４３】
符号化ブロックの符号化情報は、すべての可能なスライドトランスペアレンシについて一意的（つまりグローバル一意識別子）であるか、所与のスライドフレームのスライドトランスペアレンシについてのみ一意的である（例えばスライド番号１から１０を識別する）。使用される符号化方法によっては各スライドトランスペアレンシにグローバル一意識別子を設けることは困難である。例えば、図４のようなカラー符号化方法が使用される場合には、符号化ブロックからカメラまでの距離と、光の量と、様々な製造者によるモバイル装置カメラの間の多様性とにより、検出されうる一定数のカラーを正確に符号化することのみが可能である。符号化ブロック４１０にグローバル一意符号化情報を含まないこれらの実施形態では、符号化ブロック４１０とスライドフレーム符号化ブロック４２０との組み合わせにより特定のスライドトランスペアレンシ４０２が一意的に識別されうるように、スライドフレーム４００はスライドフレーム４００を一意的に識別するスライドフレーム符号化ブロック４２０を含みうる。スライドフレーム識別子４２０は、スライドフレーム４００上に書かれた文字を含む（ユーザが入力装置を通してモバイル装置１００にスライドフレームを識別させる必要がある）か、例えばモバイル装置１００のＮＦＣセンサにより検出される近距離通信（ＮＦＣ）タグも含みうる。
【００４４】
さて図６を参照すると、示されているのは、各スライドトランスペアレンシ６０２に隣接する符号化ブロックを備える矩形スライドフレーム６００である。やはり、図示目的で多くの符号化方法がスライドフレーム６００に示されている。スライドフレーム６００は、モバイル装置カメラ又はＮＦＣ送受信器のような、モバイル装置１００のスライド解読器の近くに符号化ブロックが配置されるように設計されている。（図５の投影符号化ブロックではなく）符号化ブロックに直接的に焦点を合わせると、モバイル装置カメラにより確実に検出されうる分解能（又は符号化情報の量）が制限される。モバイル装置１００は、近接して配置された符号化ブロックに焦点を合わせるようにカメラを構成しうる。スライドフレーム６００は、スライドフレーム受容スロット内の対応のくぼみと係合して画像投影装置のアパーチャ内でのスライドフレーム６００の整合を補助できる幾つかの突起６０６も含む。図６に示されている例は、カラートランスペアレンシ６１６を使用してカラーを含む情報を符号化することと、リニアバーコード６１７又はＱＲコード６１８のようなバーコードに情報を符号化することと、ＮＦＣタグ６１９に情報を符号化することとを含む。
【００４５】
図７を参照すると、示されているのは、プロセッサ７１０とメモリ７２０と後部カメラフラッシュ７３０と後向きカメラ７４０とディスプレイ７５０とスピーカ７６０とスライド解読器７７０と入力装置７８０とを含みうるモバイル装置７００のブロック図である。有線又は無線で、あるいは通信ネットワークを経由して、モバイル装置７００が（例えば画像投影装置のコンピュータ利用実施形態を含む）他のコンピューティグ装置と通信する為に、通信インタフェース７９０が設けられうる。上記のように、通信インタフェース７９０は、モバイル装置７００の充電ポート、Ｗｉ−Ｆｉ、又はブルートゥースを含みうる。モバイル装置７００は、プロセッサ７１０を使用してメモリ７２０に記憶されたプログラムを実行して、図７に図示された他の構成要素と相互に作用する（入力を受け取って出力を行う）ことができる。後部カメラフラッシュ７３０と後向きカメラ７４０とは、図１に示されているもののように、モバイル装置７００の後面に配置されうる。モバイル装置７００は後部カメラフラッシュ７３０を制御して、図２に示されている画像投影装置２００の為の投影光源として機能させる。モバイル装置７００の例は、モバイルフォン、ラップトップコンピュータ、又はタブレットコンピューティング装置のようなモバイルコンピューティング装置を含みうる。
【００４６】
モバイル装置７００は、スピーカ７６０及びディスプレイ７５０を通して音声及び映像を提供しうる。キーボード、ボタン、又はタッチスクリーンインタフェースを含みうる入力装置７８０を通して、ユーザはモバイル装置７００と相互に作用して入力を提供できる。入力装置７８０を通して受理された入力は、結合された画像投影装置への指示（例えば次のスライドまでの前進、焦点の調節等）の送信を開始するのに使用されうる。
【００４７】
スライド解読器７７０は、スライドフレーム上の（符号化ブロック４１０又はスライドフレーム符号化ブロック４２０のような）符号化ブロックの符号化情報を解読して、特定のスライドトランスペアレンシの識別を補助する。スライド解読器７７０は後向きカメラ７４０を含みうる。スライド解読器７７０は、近距離通信送受信器のような無線受信器であってもよい。
【００４８】
さて図８を参照すると、示されているのは、画像投影装置２００における照射スライドの変更に基づいてモバイル装置での事象を起動する方法８００のフローチャート図である。方法８００は、現在投影されているスライドトランスペアレンシに対応するマルチメディアの再生を連動させるのに使用されうる。最初にステップ８０２で、スライドフレームが識別される。このステップは、モバイル装置７００のスライド解読器７７０を利用して、スライドフレーム符号化ブロック４２０のようなスライドフレーム符号化ブロックを解読できる。他の実施形態において、このステップは、モバイル装置７００のユーザが、例えばスライドフレームと関連するあるアプリケーションを選択すること、又は、スライドフレームと関連するアプリケーションの中のあるストーリーを選択することにより、入力装置７８０を通して入力を提供してスライドフレームを識別することを含みうる。他の実施形態では、スライドフレームの識別は、スライドトランスペアレンシのいずれか一つと関連する符号化ブロックを解読するスライド解読器７７０も含みうる。
【００４９】
次にステップ８０４では、照射又は投影されるスライドトランスペアレンシの変更が検出される。これは、スライド解読器７７０により検出されるスライドトランスペアレンシと関連する符号化ブロックの変更を検出することを含みうる。このステップは、次のスライドを前進させるという入力装置７８０からの指示、あるいは、スライドフレームが前進したとの画像投影装置２００からの通信インタフェース７９０を通した通信をモバイル装置７００が受理することを含みうる。画像投影装置２００は、スライドフレームが前進する度に起動されるスライドフレーム受容スロット２３０内のスイッチも含み、このスイッチ情報は、ステップ８０４で変更を検出する為モバイル装置１００に通信されうる。
【００５０】
ステップ８０６では、現在照射されているスライドトランスペアレンシと関連するモバイル装置１００での事象が起動される。モバイル装置１００の事象は、スピーカ７６０を通した音声の再生、又はディスプレイ７５０の更新に関係している。事象は、例えば照明を模倣する為オフとオンを切り替えるなど、後部カメラフラッシュ７３０の操作にも関係している。
【００５１】
画像投影装置２００の操作及び方法８００の例は、童話又は童謡の為の使用を含む。スライドフレームは、童話又は童謡と関連する一連の画像トランスペアレンシを収容し、モバイル装置は読み聞かせを補助する連携アプリ（例えば音楽や語りのような音声、モバイル装置ディスプレイに表示される物語）を実行する。連携アプリはモバイル装置のカメラフラッシュを作動させてスライドトランスペアレンシを照射し、スライド検出モジュールを通して（例えばモバイル装置のカメラ又はＮＦＣセンサを使用して）スライドトランスペアレンシ及び／又はスライドフレームを識別する情報を受理する。モバイル装置は、スライドが前進する時に符号化情報の変更を検出し、モバイル装置で実行される連携アプリの事象を起動する（例えば本のページめくり、本のページと関連するオーディオブック音声の開始、音響効果又は語りの再生）。連携アプリはまた、ユーザが言語を選択することを可能にし、連携アプリは関連の内容又はストーリーを選択された言語で取得することができる。
【００５２】
ここに記載されるシステムと装置と方法の実施形態は、ハードウェア又はソフトウェア、あるいはその組み合わせで具現されうる。ここに記載される実施形態の幾つかは、プログラマブルコンピュータで実行されるコンピュータプログラムで具現され、各コンピュータは、少なくとも一つのプロセッサと、コンピュータメモリ（揮発性又は不揮発性のメモリを含む）と、少なくとも一つの入力装置と、少なくとも一つの出力装置とを包含する。例えば、限定的ではないが、プログラマブルコンピュータは、多数のプロセッサと少なくとも一つのネットワークインタフェースカードとを有するサーバクラスコンピュータでありうる。プログラムコードは入力データに作用してここに記載の機能を実施し、出力データを生成する。
【００５３】
例示的な実施形態がここに記載されたが、本発明は開示の実施形態に限定されないことが理解されるはずである。本発明は、添付の請求項の趣旨及び範囲に含まれる様々な変形と同等の構成とを含むことが意図され、請求項の範囲は、このような変形と同等の構造及び機能をすべて内含する解釈に従うものとする。
【００５４】
〔付記１〕
カメラフラッシュを有するモバイル装置と関連して使用される画像投影装置であって、
アパーチャを画定する本体であって、前記モバイル装置に装着して前記アパーチャを前記カメラフラッシュと整合させる装着機構を有する本体と、
前記本体内のスライドフレーム受容スロットであって、前記アパーチャに対して横向きであるスライドフレーム受容スロットと、
前記アパーチャと整合される拡大レンズであって、前記本体の前端部に配置される拡大レンズと、
を包含する画像投影装置。
〔付記２〕
前記スライドフレーム受容スロットに収容されたスライドトランスペアレンシを前記カメラフラッシュが照射し、前記拡大レンズが、照射された前記スライドトランスペアレンシを拡大して前記トランスペアレンシを投影する、付記１に記載の画像投影装置。
〔付記３〕
前記アパーチャと整合されて、前記スライドフレーム受容スロットについて前記拡大レンズと反対側にあるフラッシュ調節器をさらに包含する、付記１の画像投影装置。
〔付記４〕
前記拡大レンズを収容する焦点調節機構をさらに包含し、前記焦点調節機構が、前記アパーチャに対して前記拡大レンズを軸方向に並進させる為のものである、付記１の画像投影装置。
〔付記５〕
前記焦点調節機構が、伸縮機構とネジ式機構のうちいずれか一方である、付記４の画像投影装置。
〔付記６〕
前記本体がさらにモータを包含し、前記モバイル装置に電気結合されて指示を取得し、前記モータが前記焦点調節機構に結合され、前記モバイル装置がカメラを有して、前記カメラにより検出される投影画像に基づいて焦点を調節する指示を前記モータに提供する、付記４の画像投影装置。
〔付記７〕
前記装着機構がクランプ又はバタフライクリップのいずれか一方である、付記１の画像投影装置。
〔付記８〕
前記モバイル装置と嵌合する表面を前記装着機構が有し、前記表面が、画像投影装置の移動を制限する高摩擦材料を包含する、付記７の画像投影装置。
〔付記９〕
前記装着機構がモバイル装置ケースである、付記１の画像投影装置。
〔付記１０〕
前記スライドフレーム受容スロットが可撓性戻り止めを有し、前記可撓性戻り止めが、前記スライドフレームの切欠きと相互に作用して前記スライドフレームを前記アパーチャ内に整合させる、付記１の画像投影装置。
〔付記１１〕
前記切欠きと相互に作用する前記可撓性戻り止めが機械的フィードバックと可聴フィードバックのうちいずれか一方を提供する、付記１０の画像投影装置。
〔付記１２〕
前記本体がさらにモータを包含し、前記モバイル装置に結合されて指示を取得し、前記モータが前記スライドフレームに結合されて、前記モバイル装置からの指示で前記スライドフレームを前進させる、付記１の画像投影装置。
〔付記１３〕
前記本体がさらに、前記モバイル装置のカメラとの整合の為のカメラ開口部を画定し、前記スライドフレーム受容スロットが前記カメラ開口部に対して横向きであり、前記スライドフレームの符号化ブロックが、前記モバイル装置の前記カメラによる検出の為前記カメラ開口部に配置される、付記１の画像投影装置。
〔付記１４〕
前記本体がさらに、前記アパーチャを前記カメラ開口部に結合する光通路を包含する、付記１３の画像投影装置。
〔付記１５〕
少なくとも一つのスライドトランスペアレンシと、
前記少なくとも一つのスライドトランスペアレンシと関連する符号化情報と、
を包含するスライドフレーム。
〔付記１６〕
前記少なくとも一つのスライドトランスペアレンシに隣接する少なくとも一つの符号化ブロックをさらに包含し、前記符号化ブロックが前記符号化情報を有する、付記１５のスライドフレーム。
〔付記１７〕
前記少なくとも一つの符号化ブロックが、バーコード、カラー、及び近距離無線通信タグのうちいずれか一つである、付記１６のスライドフレーム。
〔付記１８〕
前記符号化情報が、前記少なくとも一つのスライドトランスペアレンシの前記画像に符号化される、付記１５のスライドフレーム。
〔付記１９〕
前記符号化情報がバーコードとして符号化される、付記１８のスライドフレーム。
〔付記２０〕
カメラフラッシュを有するモバイル装置との関連で付記１に記載の画像投影装置を操作する方法であって、
スライド解読器により検出されるスライドフレームの符号化情報の変更を識別することと、
前記符号化情報の前記変更を事象と関連付けることと、
前記事象を起動させることと、
を包含する方法。
〔付記２１〕
前記事象が、前記モバイル装置の前記ビデオディスプレイの変更と、前記モバイル装置のスピーカからの音声再生のうち一つ以上である、付記２０の方法。
〔付記２２〕
前記スライド解読器がさらに、前記モバイル装置のカメラと近距離通信センサのうちいずれか一つを包含する、付記２０の方法。
〔付記２３〕
前記スライド解読器が前記モバイル装置のカメラを包含し、符号化情報の変更の識別がさらに、前記カメラで画像を捕捉することと、前記画像を前回捕捉画像と比較して、前記スライドトランスペアレンシが変更されたかどうかを判断することとを包含する、付記２０の方法。
〔付記２４〕
前記カメラにより取得された前記画像を処理して、投影されたスライドトランスペアレンシのシグネチャを取得することと、前記シグネチャをデータベースと比較して、特定のスライドトランスペアレンシと一つ以上の事象のうちいずれか一方とシグネチャを関連付けることとをさらに包含する方法である、付記２３の方法。
【符号の説明】
【００５５】
１００  モバイル装置
１０２  カメラフラッシュ
１０４  カメラアパーチャ
１０６  後面
２００  画像投影装置
２０２  本体
２１０  アパーチャ
２２０  装着機構
２３０  スライドフレーム受容スロット
２４０  拡大レンズ
２５０  フラッシュ調節器
２６０  焦点調節機構
３００  画像投影装置
３０２  本体
３１０  アパーチャ
３２０  装着機構
３３０  スライドフレーム受容スロット
３３２  スライドフレーム整合機構
３４０  拡大レンズ
３６２  レンズスライド
３６４  レンズ装着部
３８０  カメラ開口部
３８２  光通路
４００  回転スライドフレーム
４０２  スライドトランスペアレンシ
４０４  切欠き／くぼみ
４１０  符号化ブロック
４２０  スライドフレーム符号化ブロック
５００  矩形スライドフレーム
５０２  スライドトランスペアレンシ
５０４  くぼみ
５１２  リニアバーコード
５１４  ＱＲコード
５１５  太陽の絵
６００  矩形スライドフレーム
６０２  スライドトランスペアレンシ
６０６  突起
６１６  カラートランスペアレンシ
６１７  リニアバーコード
６１８  ＱＲコード
６１９  ＮＦＣタグ
７００  モバイル装置
【図１】
2019053316.tif 000003
【図２】
2019053316.tif 000004
【図３Ａ】
2019053316.tif 000005
【図３Ｂ】
2019053316.tif 000006
【図４】
2019053316.tif 000007
【図５】
2019053316.tif 000008
【図６】
2019053316.tif 000009
【図７】
2019053316.tif 000010
【図８】
2019053316.tif 000011